(57)【要約】【課題】ＩＥＥＥ１３９４シリアルバスに接続されるＤＶＤレコーダにおいて、簡単な操作で、ＤＶカメラから受信したストリームデータ中の不要部分のデータのみをカットして、必要な部分のデータのみをＤＶＤに書き込む。【解決手段】ＤＶカメラから受信したストリームデータをＤＶＤに書き込む際に、このストリームデータに含まれるタイムコードが、リモコンを用いて指示された開始位置のタイムコードと等しくなったときに（Ｓ６でＹＥＳ）、ＤＶＤへの書き込みが停止される。そして、このストリームデータに含まれるタイムコードが、リモコンを用いて指示された終了位置のタイムコードと等しくなったときに（Ｓ９でＹＥＳ）、ＤＶＤへの書き込みが再開される（Ｓ１０）。これにより、簡単な操作で、ＤＶカメラから受信したストリームデータ中の不要部分のデータのみをカットすることができる。【選択図】図２
2006025202.tif 000002
【特許請求の範囲】
【請求項１】
ＩＥＥＥ１３９４シリアルバスを介してＤＶカメラと接続され、
前記ＤＶカメラ及び自機に対する各種指示操作を行うための操作手段と、
前記ＤＶカメラとの間で制御用コマンドとその応答信号の送受信、及びストリームデータの送受信を行うためのＩＥＥＥ１３９４インタフェースと、
前記ＩＥＥＥ１３９４インタフェースを介して前記ＤＶカメラから受信したストリームデータをＤＶＤに書き込むための録画手段と、
前記操作手段、前記ＩＥＥＥ１３９４インタフェース、及び前記録画手段を制御する制御手段とを備えたＩＥＥＥ１３９４シリアルバスに接続されるＤＶＤレコーダにおいて、
前記操作手段は、前記ＤＶカメラから受信したストリームデータ中の不要部分のデータの開始位置と終了位置とを指示するための位置指示キーを持ち、
前記位置指示キーを用いてユーザにより指示された不要部分のデータの開始位置と終了位置のタイムコードを記憶する記憶手段をさらに備え、
前記制御手段は、
前記ＤＶカメラから受信したストリームデータを前記録画手段によりＤＶＤに書き込む際に、
前記記憶手段から不要部分のデータの開始位置と終了位置のタイムコードを読み出した後に、前記ＤＶカメラから受信したストリームデータについての、前記録画手段によるＤＶＤへの書き込みを開始して、
前記ＤＶカメラから受信したストリームデータに含まれるタイムコードが、前記開始位置のタイムコードと等しくなったときに、前記録画手段によるＤＶＤへの書き込みを停止し、
前記ＤＶカメラから受信したストリームデータに含まれるタイムコードが、前記終了位置のタイムコードと等しくなったときに、前記録画手段によるＤＶＤへの書き込みを再開するようにしたことを特徴とするＩＥＥＥ１３９４シリアルバスに接続されるＤＶＤレコーダ。
【請求項２】
ＩＥＥＥ１３９４シリアルバスを介してＤＶカメラと接続され、
前記ＤＶカメラ及び自機に対する各種指示操作を行うための操作手段と、
前記ＤＶカメラとの間で制御用コマンドとその応答信号の送受信、及びストリームデータの送受信を行うためのＩＥＥＥ１３９４インタフェースと、
前記ＩＥＥＥ１３９４インタフェースを介して前記ＤＶカメラから受信したストリームデータをＤＶＤに書き込むための録画手段と、
前記操作手段、前記ＩＥＥＥ１３９４インタフェース、及び前記録画手段を制御する制御手段とを備えたＩＥＥＥ１３９４シリアルバスに接続されるＤＶＤレコーダにおいて、
前記操作手段は、前記ＤＶカメラから受信したストリームデータ中の不要部分のデータの位置を設定するための位置設定手段を有し、
前記位置設定手段を用いてユーザにより設定された不要部分のデータの位置の情報を記憶する記憶手段をさらに備え、
前記制御手段は、
前記ＤＶカメラから受信したストリームデータを前記録画手段によりＤＶＤに書き込む際に、
前記記憶手段から不要部分のデータの位置の情報を読み出して、この情報に基いて前記不要部分のデータをＤＶＤに書き込まないようにしたことを特徴とするＩＥＥＥ１３９４シリアルバスに接続されるＤＶＤレコーダ。
【請求項３】
前記記憶手段は、前記位置設定手段を用いてユーザにより設定された不要部分のデータの開始位置と終了位置を記憶し、
前記制御手段は、
前記ＤＶカメラから受信したストリームデータを前記録画手段によりＤＶＤに書き込む際に、
前記記憶手段から不要部分のデータの開始位置と終了位置を読み出した後に、前記ＤＶカメラから受信したストリームデータについての、前記録画手段によるＤＶＤへの書き込みを開始して、
前記ＤＶカメラから受信したストリームデータの位置が、前記不要部分のデータの開始位置と等しくなったときに、前記録画手段によるＤＶＤへの書き込みを停止し、
前記ＤＶカメラから受信したストリームデータの位置が、前記不要部分のデータの終了位置と等しくなったときに、前記録画手段によるＤＶＤへの書き込みを再開するようにしたことを特徴とする請求項２に記載のＩＥＥＥ１３９４シリアルバスに接続されるＤＶＤレコーダ。
【請求項４】
自装置と前記ＤＶカメラとの間にＩＥＥＥ１３９４シリアルバスケーブルが接続されているか否かを検知するための接続検知手段と、
各種メッセージを表示するための表示手段とをさらに備え、
前記制御手段は、
前記接続検知手段によりＩＥＥＥ１３９４シリアルバスケーブルが接続されていないと検知されたときに、前記ＩＥＥＥ１３９４シリアルバスケーブルの接続を促すためのメッセージを前記表示手段に表示した後に、前記接続検知手段による検知を繰り返し、この結果、ＩＥＥＥ１３９４シリアルバスケーブルが接続されたと検知したときに、前記ＤＶカメラに対して巻戻コマンドを送信して、前記ＤＶカメラより巻戻完了の信号を受信してから、前記ＤＶカメラに対して再生コマンドを送信して、前記ＤＶカメラから受信したストリームデータを前記録画手段によりＤＶＤに書き込むようにしたことを特徴とする請求項２に記載のＩＥＥＥ１３９４シリアルバスに接続されるＤＶＤレコーダ。
【発明の詳細な説明】
【技術分野】
【０００１】
本発明は、ＩＥＥＥ１３９４シリアルバスを介してＤＶカメラと接続可能なＤＶＤレコーダに関する。
【背景技術】
【０００２】
従来、ＤＶ(Digital Video)カメラとＤＶＤ(Digital Versatile Disc)レコーダとをＩＥＥＥ１３９４シリアルバスを介して接続して、ＤＶ(Digital Video)テープからＤＶＤへの撮影データのダビングを行う際に、ユーザにとって不要な部分があったとしても、ユーザは、ＤＶテープ一本分全ての撮影データをＤＶＤにダビングするか、ダビング中に不要な部分の位置に達したときに、ダビングを手動で一旦停止するという操作を行っていた。しかし、ＤＶテープ一本分全ての撮影データをＤＶＤにダビングしてしまうと、不要な部分のデータまで全てＤＶＤに書き込んでしまう。また、ダビング中に、撮影データ中の不要な部分のデータの位置に達したときに、ダビングを手動で一旦停止するという方法を採ると、必要な部分のデータをＤＶＤに書き込むことができなかったり、不必要な部分のデータまでＤＶＤに書き込んでしまうことが多い。しかも、このように、一旦、必要な部分のデータのみの録画に失敗すると、ＤＶテープとＤＶＤとを両方とも巻き戻して、ＤＶテープの再生位置とＤＶＤの録画位置を合わせてから、再度録画をやり直す必要があるので、大変な手間がかかる。従って、ユーザが録画をやり直すことは、実際には少なかった。
【０００３】
ところで、デジタルデータの編集システムの分野において、ハードディスクを有効に利用して、デジタルデータの編集を容易に行うようにしたものが知られている（例えば、特許文献１及び２参照）。けれども、これらの発明では、ハードディスクを介さず、撮影データをＤＶテープからＤＶＤへ直接ダビングする場合における上記のような問題を解決することはできない。
【０００４】
また、音楽データのダビング用の装置の分野において、途中までしか記録されていない不要な音楽データの消去を自動で行うようにしたものが知られている（例えば、特許文献３参照）。けれども、この発明によっても、上記の必要な部分のデータのみをＤＶＤに書き込むことができないという問題を解決することはできない。
【特許文献１】特開２００２−１７１４７５号公報
【特許文献２】特開２０００−１５２１６９号公報
【特許文献３】特開２００２−６３７６２号公報
【発明の開示】
【発明が解決しようとする課題】
【０００５】
本発明は、上記の問題を解決するためになされたものであり、簡単な操作で、ＤＶカメラから受信したストリームデータ中の不要部分のデータのみをカットすることができるようにして、ＤＶカメラから受信したストリームデータ中の必要な部分のデータのみをＤＶＤに書き込むことが可能なＩＥＥＥ１３９４シリアルバスに接続されるＤＶＤレコーダを提供することを目的とする。
【課題を解決するための手段】
【０００６】
上記目的を達成するために請求項１の発明は、ＩＥＥＥ１３９４シリアルバスを介してＤＶカメラと接続され、ＤＶカメラ及び自機に対する各種指示操作を行うための操作手段と、ＤＶカメラとの間で制御用コマンドとその応答信号の送受信、及びストリームデータの送受信を行うためのＩＥＥＥ１３９４インタフェースと、ＩＥＥＥ１３９４インタフェースを介してＤＶカメラから受信したストリームデータをＤＶＤに書き込むための録画手段と、操作手段、ＩＥＥＥ１３９４インタフェース、及び録画手段を制御する制御手段とを備えたＩＥＥＥ１３９４シリアルバスに接続されるＤＶＤレコーダにおいて、操作手段は、ＤＶカメラから受信したストリームデータ中の不要部分のデータの開始位置と終了位置とを指示するための位置指示キーを持ち、位置指示キーを用いてユーザにより指示された不要部分のデータの開始位置と終了位置のタイムコードを記憶する記憶手段をさらに備え、制御手段は、ＤＶカメラから受信したストリームデータを録画手段によりＤＶＤに書き込む際に、記憶手段から不要部分のデータの開始位置と終了位置のタイムコードを読み出した後に、ＤＶカメラから受信したストリームデータについての、録画手段によるＤＶＤへの書き込みを開始して、ＤＶカメラから受信したストリームデータに含まれるタイムコードが、開始位置のタイムコードと等しくなったときに、録画手段によるＤＶＤへの書き込みを停止し、ＤＶカメラから受信したストリームデータに含まれるタイムコードが、終了位置のタイムコードと等しくなったときに、録画手段によるＤＶＤへの書き込みを再開するものである。
【０００７】
請求項２の発明は、ＩＥＥＥ１３９４シリアルバスを介してＤＶカメラと接続され、ＤＶカメラ及び自機に対する各種指示操作を行うための操作手段と、ＤＶカメラとの間で制御用コマンドとその応答信号の送受信、及びストリームデータの送受信を行うためのＩＥＥＥ１３９４インタフェースと、ＩＥＥＥ１３９４インタフェースを介してＤＶカメラから受信したストリームデータをＤＶＤに書き込むための録画手段と、操作手段、ＩＥＥＥ１３９４インタフェース、及び録画手段を制御する制御手段とを備えたＩＥＥＥ１３９４シリアルバスに接続されるＤＶＤレコーダにおいて、操作手段は、ＤＶカメラから受信したストリームデータ中の不要部分のデータの位置を設定するための位置設定手段を有し、位置設定手段を用いてユーザにより設定された不要部分のデータの位置の情報を記憶する記憶手段をさらに備え、制御手段は、ＤＶカメラから受信したストリームデータを録画手段によりＤＶＤに書き込む際に、記憶手段から不要部分のデータの位置の情報を読み出して、この情報に基いて不要部分のデータをＤＶＤに書き込まないようにしたものである。
【０００８】
請求項３の発明は、請求項２に記載のＩＥＥＥ１３９４シリアルバスに接続されるＤＶＤレコーダにおいて、記憶手段は、位置設定手段を用いてユーザにより設定された不要部分のデータの開始位置と終了位置を記憶し、制御手段は、ＤＶカメラから受信したストリームデータを録画手段によりＤＶＤに書き込む際に、記憶手段から不要部分のデータの開始位置と終了位置を読み出した後に、ＤＶカメラから受信したストリームデータについての、録画手段によるＤＶＤへの書き込みを開始して、ＤＶカメラから受信したストリームデータの位置が、不要部分のデータの開始位置と等しくなったときに、録画手段によるＤＶＤへの書き込みを停止し、ＤＶカメラから受信したストリームデータの位置が、不要部分のデータの終了位置と等しくなったときに、録画手段によるＤＶＤへの書き込みを再開するようにしたものである。
【０００９】
請求項４の発明は、請求項２に記載のＩＥＥＥ１３９４シリアルバスに接続されるＤＶＤレコーダにおいて、自装置とＤＶカメラとの間にＩＥＥＥ１３９４シリアルバスケーブルが接続されているか否かを検知するための接続検知手段と、各種メッセージを表示するための表示手段とをさらに備え、制御手段は、接続検知手段によりＩＥＥＥ１３９４シリアルバスケーブルが接続されていないと検知されたときに、ＩＥＥＥ１３９４シリアルバスケーブルの接続を促すためのメッセージを表示手段に表示した後に、接続検知手段による検知を繰り返し、この結果、ＩＥＥＥ１３９４シリアルバスケーブルが接続されたと検知したときに、ＤＶカメラに対して巻戻コマンドを送信して、ＤＶカメラより巻戻完了の信号を受信してから、ＤＶカメラに対して再生コマンドを送信して、ＤＶカメラから受信したストリームデータを録画手段によりＤＶＤに書き込むようにしたものである。
【発明の効果】
【００１０】
請求項１の発明によれば、ユーザが、このＤＶＤレコーダに内蔵又は接続されたモニタ装置上に、ＤＶカメラから受信したストリームデータの内容を表示して確認しながら、位置指示キーを用いて、ＤＶカメラから受信したストリームデータ中の不要部分のデータの開始位置と終了位置とを指示しておくことにより、ＤＶカメラから受信したストリームデータをＤＶＤに書き込む際に、このストリームデータに含まれるタイムコードが、上記の開始位置のタイムコードと等しくなったときに、ＤＶＤへの書き込みが停止される。そして、このストリームデータに含まれるタイムコードが、上記の終了位置のタイムコードと等しくなったときに、ＤＶＤへの書き込みが再開される。これにより、簡単な操作で、ＤＶカメラから受信したストリームデータ中の不要部分のデータのみをカットすることができる。また、上記の位置指示キーを用いた開始位置及び終了位置の指示のタイミングがずれた場合でも、ユーザがＤＶテープを巻き戻して、再度、モニタ装置上にＤＶカメラから受信したストリームデータの内容を表示して確認しながら、位置指示キーを用いて不要部分のデータの開始位置と終了位置とを指示することにより、これらの位置を正確に指示し直すことができる。従って、このような場合でも、簡単な操作で、ＤＶカメラから受信したストリームデータ中の不要部分のデータのみを確実にカットすることができる。
【００１１】
上記のように、請求項１の発明によれば、簡単な操作で、ＤＶカメラから受信したストリームデータ中の不要部分のデータのみをカットして、ＤＶカメラから受信したストリームデータ中の必要な部分のデータのみをＤＶＤに書き込むことができる。
【００１２】
請求項２の発明によれば、ユーザが、このＤＶＤレコーダに内蔵又は接続されたモニタ装置上に、ＤＶカメラから受信したストリームデータの内容を表示して確認しながら、位置設定手段を用いて、ＤＶカメラから受信したストリームデータ中の不要部分のデータの位置を設定することにより、ＤＶカメラから受信したストリームデータをＤＶＤに書き込む際に、このストリームデータ中の不要部分のデータがＤＶＤに書き込まれないようにすることができる。これにより、上記請求項１と同様な効果を得ることができる。
【００１３】
請求項３の発明によれば、ＤＶカメラから受信したストリームデータをＤＶＤに書き込む際に、ＤＶカメラから受信したストリームデータの位置が不要部分のデータの開始位置と等しくなったときに、ＤＶＤへの書き込みを停止し、ＤＶカメラから受信したストリームデータの位置が不要部分のデータの終了位置と等しくなったときに、ＤＶＤへの書き込みを再開するようにした。これにより、上記に記載の効果を的確に得ることができる。
【００１４】
請求項４の発明によれば、自装置とＤＶカメラとの間にＩＥＥＥ１３９４シリアルバスケーブルが接続されていないと検知すると、ＩＥＥＥ１３９４シリアルバスケーブルの接続を促すためのメッセージを表示する。そして、ＩＥＥＥ１３９４シリアルバスケーブルが接続されたと検知すると、ＤＶカメラに対して巻戻コマンドを送信して、ＤＶカメラより巻戻完了の信号を受信してから、ＤＶカメラに対して再生コマンドを送信して、上記請求項２と同様な処理を行い、ＤＶカメラから受信したストリームデータをＤＶＤに書き込む。これにより、ＤＶカメラから受信したストリームデータのＤＶＤへの書き込み中に、自装置とＤＶカメラとの間のＩＥＥＥ１３９４シリアルバスケーブルが外れた場合でも、上記請求項２と同様な効果を得ることができる。
【発明を実施するための最良の形態】
【００１５】
本発明を実施するための最良の形態について図面を参照して説明する。本発明は、ＩＥＥＥ１３９４シリアルバスを介してＤＶカメラと接続可能なＤＶＤレコーダに関するものである。以下の実施形態では、ＤＶＤ（Digital Versatile Disc）−ＲＡＭ(Random Access Memory)の読み書き可能なＤＶＤレコーダに本発明を適用した場合の例について説明する。なお、以下に記載した実施形態は、本発明を網羅するものではなく、本発明は、下記の形態だけに限定されない。
【００１６】
図１は、第１の実施形態によるＤＶＤレコーダと、このＤＶＤレコーダとＩＥＥＥ１３９４シリアルバスを介して接続可能なＤＶカメラの電気的ブロック構成を示す。このＤＶＤレコーダ１は、ＩＥＥＥ１３９４シリアルバス４（以下、バスと略す）を介して、ＤＶカメラ２及びディジタルテレビジョン受像機３（以下、ディジタルＴＶという）と接続されており、ＤＶカメラ２から受信したストリームデータをＤＶＤ−ＲＡＭ１１に書き込み可能であると共に、ＤＶカメラ２から受信したストリームデータをディジタルＴＶ３に出力してモニタ３０上に表示させることができる。ＤＶＤレコーダ１は、装置の各部を制御するためのマイクロプロセッサ１０（制御手段）を備えている。また、ＤＶＤレコーダ１は、ＤＶＤ−ＲＡＭ１１に対して光ビームを照射してデータの記録及び再生を行う光ピックアップ１２（録画手段）と、光ピックアップ１２から出力されるＲＦ信号を処理するＲＦ回路１３と、外部入出力機器との間のデータ入出力を行う際のデータ形式の変換等を行う外部インターフェース１４（以下、外部Ｉ／Ｆという）と、ＩＥＥＥ１３９４インタフェース１５（以下、ＩＥＥＥ１３９４Ｉ／Ｆという）と、各種のメッセージを表示するための表示部１６と、リモコン１９（操作手段）を用いてユーザにより指示された不要部分のデータの開始位置と終了位置のタイムコード等のデータを記憶するメモリ１７（記憶手段）とを有している。ＩＥＥＥ１３９４Ｉ／Ｆ１５は、バス４を介して外部入出力機器との間で制御用コマンドとその応答信号の送受信、及びストリームデータの送受信を行うためのものである。さらにまた、ＤＶＤレコーダ１は、リモコン１９から送信された赤外線信号を受信する赤外線信号受信部１８を有している。
【００１７】
上記のリモコン１９は、各種のキーからなるキー部２４と赤外線信号発信部２１とを有している。キー部２４には、電源キー２３、数字入力用のキー２５に加えて、各種メニューを表示するためのメニューキー２２が配設されている。また、キー部２４には、メニューキー２２を用いてユーザにより設定されたデータ入力用の接続機器（この場合は、ＤＶカメラ２）からのストリームデータのＤＶＤ−ＲＡＭ１１への書き込みを指示するための録画キー２６と、受信したストリームデータ中の不要部分のデータの開始位置と終了位置とを指示するための位置指示キー２７（位置設定手段）等が配されている。
【００１８】
また、上記のＤＶカメラ２は、バス４を介してＤＶＤレコーダ１等から制御用コマンド等のデータを受信するためのＩＥＥＥ１３９４インタフェース３７（以下、ＩＥＥＥ１３９４Ｉ／Ｆという）と、内蔵するＣＣＤ（Charge Coupled Device）で撮影した被写体像をアナログ信号の形で出力するビデオカメラ３１と、ビデオカメラ３１から出力されたアナログ信号をディジタル信号に変換するＡ／Ｄ変換部３２と、Ａ／Ｄ変換部３２から送られた画像データを一時的に蓄積する画像メモリ３３と、画像メモリ３３に蓄積された画像データに対して各種の画像処理を施すマイクロプロセッサ３４と、フォーマット変換回路３５と、記録再生部３６とを備えている。フォーマット変換回路３５は、マイクロプロセッサ３４による処理後の画像データのストリームデータへのフォーマット変換を行う。記録再生部３６は、フォーマット変換回路３５から出力されたストリームデータのＤＶテープ(Digital Video)への書き込みや、ＤＶテープに記録されたストリームデータの再生等を行う。また、ＤＶカメラ２は、マイクロプロセッサ３４から送られた画像を表示する液晶モニタ３８と、操作部３９と、各種のデータを記憶するためのメモリ４０とを備えている。
【００１９】
次に、図２を参照して、上記ＤＶＤレコーダ１における不要部分のデータのカット処理について説明する。まず、ユーザが、リモコン１９を用いて、ＤＶカメラ２に対して再生開始の指示操作を行った上で、ＤＶカメラ２から受信したストリームデータをディジタルＴＶ３に出力するように指示することにより、ＤＶカメラ２から受信したストリームデータの内容をモニタ３０上に表示して確認する。そして、リモコン１９の位置指示キー２７を用いて、ＤＶカメラ２から受信したストリームデータ中の不要部分のデータの開始位置と終了位置とを指示すると、マイクロプロセッサ１０は、この不要部分のデータの開始位置と終了位置のタイムコードを、ストリームデータから取得して、メモリ１７に記憶する。次に、ユーザが、リモコン１９の録画キー２６を押して、ＤＶカメラ２からのストリームデータのＤＶＤ−ＲＡＭ１１への書き込みを指示すると、マイクロプロセッサ１０は、メモリ１７から不要部分のデータの開始位置と終了位置のタイムコードを読み出した後に（Ｓ１）、ＤＶカメラ２に対して巻戻コマンドと再生コマンドを送信して（Ｓ２）、ＤＶカメラ２からのストリームデータの受信を開始し（Ｓ３）、受信したストリームデータのＤＶＤ−ＲＡＭ１１への書き込みを開始する（Ｓ４）。
【００２０】
上記の書込処理が始まると、マイクロプロセッサ１０は、ＤＶカメラ２から再生終了信号を受信するまで（Ｓ５でＮＯ）、ＤＶカメラ２から受信したストリームデータに含まれるタイムコードが、不要部分のデータの開始位置のタイムコードと等しくなったか否かを検出する（Ｓ６）。この結果、これらのタイムコードが等しくなると（Ｓ６でＹＥＳ）、マイクロプロセッサ１０は、光ピックアップ１２によるＤＶＤ−ＲＡＭ１１への書き込みを停止する。そして、ＤＶカメラ２から再生終了信号を受信するまで（Ｓ８でＮＯ）、ＤＶカメラ２から受信したストリームデータに含まれるタイムコードが、不要部分のデータの終了位置のタイムコードと等しくなったか否かを検出して（Ｓ９）、これらのタイムコードが等しくなると（Ｓ９でＹＥＳ）、光ピックアップ１２によるＤＶＤ−ＲＡＭ１１への書き込みを再開する（Ｓ１０）。マイクロプロセッサ１０は、ＤＶカメラ２から再生終了信号を受信するまで（Ｓ５でＮＯ）、上記Ｓ５乃至Ｓ１０の処理を繰り返す。
【００２１】
次に、図３を参照して、上記不要部分データのカット処理の効果について説明する。従来は、ＤＶテープからＤＶＤ−ＲＡＭへの撮影データのダビングを行う際に、ユーザにとって不要な部分があったとしても、ユーザは、ＤＶテープ一本分全ての撮影データをＤＶＤ−ＲＡＭにダビングするか、ダビング中に不要な部分の位置に達したときに、ダビングを手動で一旦停止するという操作を行っていた。しかし、ＤＶテープ一本分全ての撮影データをＤＶＤ−ＲＡＭにダビングしてしまうと、（ａ）に示されるように、必要な部分のデータ４１、４２のみではなく、不要な部分のデータ４３まで全てＤＶＤ−ＲＡＭに書き込んでしまう。また、ダビング中に、撮影データ中の不要な部分のデータの位置に達したときに、ダビングを手動で一旦停止するという方法を採ると、（ｂ）に示されるように、必要な部分のデータ４７をＤＶＤ−ＲＡＭに書き込むことができなかったり、不必要な部分のデータ４６までＤＶＤ−ＲＡＭに書き込んでしまうことが多い。しかも、このように、一旦、必要な部分のデータのみの録画に失敗すると、ＤＶテープとＤＶＤ−ＲＡＭとを両方とも巻き戻して、ＤＶテープの再生位置とＤＶＤ−ＲＡＭの録画位置を合わせてから、再度録画をやり直す必要があるので、大変な手間がかかる。従って、ユーザが録画をやり直すことは、実際には少なかった。
【００２２】
これに対して、上記図２に示されるカット処理の方法を採ると、上記の位置指示キー２７を用いた開始位置及び終了位置の指示のタイミングがずれた場合でも、ユーザがＤＶテープを巻き戻して、再度、モニタ３０上にＤＶカメラ２から受信したストリームデータの内容を表示して確認しながら、位置指示キー２７を用いて不要部分のデータの開始位置と終了位置とを指示することにより、これらの位置を正確に指示し直すことができる。従って、このような場合でも、簡単な操作で、ＤＶカメラ２から受信したストリームデータ中の不要部分のデータのみを確実にカットして、（ｃ）に示されるように、ＤＶカメラ２から受信したストリームデータ中の必要な部分のデータ４９、５０のみをＤＶＤ−ＲＡＭ１１に書き込むことができる。
【００２３】
上記のように、第１の実施形態のＤＶＤレコーダ１によれば、簡単な操作で、ＤＶカメラ２から受信したストリームデータ中の不要部分のデータのみをカットして、ＤＶカメラ２から受信したストリームデータ中の必要な部分のデータのみをＤＶＤに書き込むことができる。
【００２４】
次に、図４に示されるフローチャートを参照して、第２の実施形態によるＤＶＤレコーダ１のＩＥＥＥ１３９４シリアルバスケーブルが外れた場合における不要部分データのカット処理について説明する。なお、第２の実施形態のＤＶＤレコーダ１は、図１に示される第１の実施形態の電気的ブロック構成と同様な電気的ブロック構成を有している。第２の実施形態は、請求項４に対応した実施形態であり、この実施形態では、マイクロプロセッサ１０は、請求項４における接続検知手段として機能する。また、モニタ３０は、請求項４における表示手段として機能する。マイクロプロセッサ１０は、ＤＶカメラ２との間のＩＥＥＥ１３９４シリアルバスケーブルが接続されていないと検知すると（Ｓ２１でＹＥＳ）、ユーザにＩＥＥＥ１３９４シリアルバスケーブルの接続を促すために、「ケーブルをつないで下さい」というメッセージを表示する（Ｓ２２）。そして、ＩＥＥＥ１３９４シリアルバスケーブルが接続されたと検知すると（Ｓ２３でＹＥＳ）、バスリセットの完了を検知してから（Ｓ２４でＹＥＳ）、上記図２に示される通常のダビング処理と同様な処理を行う（Ｓ２５）。すなわち、ＤＶカメラ２に対して巻戻コマンドを送信して、ＤＶカメラ２より巻戻完了の信号を受信してから、ＤＶカメラ２に対して再生コマンドを送信して、ＤＶカメラ２から受信したストリームデータ中の不要部分のデータのみをカットしてＤＶＤ−ＲＡＭ１１に書き込む。これにより、ＤＶカメラ２から受信したストリームデータのＤＶＤ−ＲＡＭ１１への書き込み中に、ＤＶカメラ２との間のＩＥＥＥ１３９４シリアルバスケーブルが外れた場合でも、簡単な操作で、ＤＶカメラ２から受信したストリームデータ中の不要部分のデータのみをカットして、ＤＶカメラ２から受信したストリームデータ中の必要な部分のデータのみをＤＶＤ−ＲＡＭ１１に書き込むことができる。
【００２５】
なお、本発明は、上記実施形態に限られるものではなく、様々な変形が可能である。例えば、上記第１の実施形態では、リモコン１９の位置指示キー２７を用いて、ＤＶカメラ２から受信したストリームデータ中の不要部分のデータの開始位置と終了位置とを指示したが、不要部分のデータの位置を設定する方法はこれに限られず、例えば、リモコンのメニューキーとエンターキーとを用いて、不要部分のデータの位置を設定するようにしてもよい。
【図面の簡単な説明】
【００２６】
【図１】本発明の第１の実施形態によるＤＶＤレコーダと、このＤＶＤレコーダに接続されたＤＶカメラの電気的ブロック構成図。
【図２】上記ＤＶＤレコーダにおける不要部分データのカット処理のフローチャート。
【図３】上記カット処理の効果の説明図。
【図４】本発明の第２の実施形態によるＤＶＤレコーダにおけるＩＥＥＥ１３９４シリアルバスケーブルが外れた場合の処理のフローチャート。
【符号の説明】
【００２７】
１    ＤＶＤレコーダ
２    ＤＶカメラ
１２  光ピックアップ（録画手段）
１５  ＩＥＥＥ１３９４Ｉ／Ｆ
１７  メモリ（記憶手段）
１９  リモコン（操作手段）
２７  位置指示キー（位置設定手段）
【図１】
2006025202.tif 000003
【図２】
2006025202.tif 000004
【図３】
2006025202.tif 000005
【図４】
2006025202.tif 000006